(57)【要約】【課題】  基材に塗工する塗液の種類が変更された場合などに、塗液の入れ換えが必要になっても、短時間で塗液の入れ換えを行うことができ、塗液の入れ換えによる作業効率の低下を有効に回避することができる塗工装置、及びそのような塗工装置における塗液の交換方法を提供する。【解決手段】  基材フィルム１をバックローラ３の周面に保持しつつ、順次送りながら塗液７を付着させ、次いで、コンマコータ４により塗工厚みを規制することにより、基材フィルム１への塗工を行うにあたり、第一バックプレート５ａが、基材フィルム１の通過を許容する一定の隙間をもって、バックローラ３に対向配置されて塗液貯留部８の一部をなしているときに、第二バックプレート５ｂを待機させておく。【選択図】      図１
2007090169.tif 000002
【特許請求の範囲】
【請求項１】
被塗工物である基材を、塗液貯留部の一部をなすバックローラの周面に保持しつつ、前記バックローラによって順次送りながら前記基材に塗液を付着させ、次いで、前記基材を介して前記バックローラに対向配置される塗工部材により、前記基材への前記塗液の塗工厚みを規制する塗工装置であって、
前記バックローラとともに前記塗液貯留部の一部をなすバックプレートを複数備え、
前記バックプレートのうちの一つが、前記基材の通過を許容する一定の隙間をもって、前記バックローラに対向配置されて前記塗液貯留部の一部をなしているときに、他の前記バックプレートが待機位置にあることを特徴とする塗工装置。
【請求項２】
前記バックプレートが、前記バックローラの軸方向に平行な同一直線上をスライドすることにより、前記バックローラに対向する位置と、前記待機位置との間を移動可能となるようにした請求項１に記載の塗工装置。
【請求項３】
被塗工物である基材を、塗液貯留部の一部をなすバックローラの周面に保持しつつ、前記バックローラによって順次送りながら前記基材に塗液を付着させ、次いで、前記基材を介して前記バックローラに対向配置される塗工部材により、前記基材への前記塗液の塗工厚みを規制することによって、前記基材への塗工を行うにあたり、
前記バックローラとともに前記塗液貯留部の一部をなす複数のバックプレートのうちの一つが、前記基材の通過を許容する一定の隙間をもって、前記バックローラに対向配置されて前記塗液貯留部の一部をなしているときに、他のバックプレートを待機位置で待機させておき、
前記塗液を交換するに際して、前記塗液貯留部の一部をなしている前記バックプレートと、待機させておいた前記バックプレートとを入れ換えることを特徴とする塗液の交換方法。
【発明の詳細な説明】
【技術分野】
【０００１】
本発明は、基材に塗工する塗液の種類が変更された場合などに、塗液の入れ換えが必要になっても、短時間で塗液の入れ換えを行うことができる塗工装置、及びそのような塗工装置における塗液の交換方法に関する。
【背景技術】
【０００２】
従来、フィルム状の基材に一定の厚みで塗液を塗工するための塗工装置として、コンマコータや、リバースロールコータなどの塗工装置が知られており、この種の塗工装置にあっては、一般に、基材をバックローラの周面に保持しつつ、バックローラによって順次送りながら基材に塗液を付着させ、次いで、塗工部材により基材への塗工厚みを規制している。
また、このような塗工装置において、基材に塗工される塗液は、通常、バックローラ、バックローラに対向配置された塗工部材やバックプレート、及びバックプレートに取り付けられたサイドプレートによって形成される塗液貯留部に貯えられている（例えば、特許文献１など参照）。
【０００３】
【特許文献１】特開２０００−１７６３４２号公報
【発明の開示】
【発明が解決しようとする課題】
【０００４】
ところで、上記のような塗工装置を用いて基材に塗液を塗工するに際し、塗液の種類を変更する必要が生じた場合などには、その都度、塗液貯留部を形成する各部材を離間させて、残留する塗液を拭き取ったりするなどの洗浄作業が必要となる。
そして、このような洗浄作業を行っている間は塗工工程が停止し、塗液の入れ換えを完了させて塗工工程を再開するまでには多くの時間を要するため、塗液の入れ換えによって作業効率が低下してしまうという問題があった。
【０００５】
本発明は、上記の事情に鑑みなされたものであり、基材に塗工する塗液の種類が変更された場合などに、塗液の入れ換えが必要になっても、従来の同種の塗工装置に比べて短時間で塗液の入れ換えを行うことができ、塗液の入れ換えによる作業効率の低下を有効に回避することができる塗工装置、及びそのような塗工装置における塗液の交換方法の提供を目的とする。
【課題を解決するための手段】
【０００６】
上記課題を解決する本発明に係る塗工装置は、被塗工物である基材を、塗液貯留部の一部をなすバックローラの周面に保持しつつ、前記バックローラによって順次送りながら前記基材に塗液を付着させ、次いで、前記基材を介して前記バックローラに対向配置される塗工部材により、前記基材への前記塗液の塗工厚みを規制する塗工装置であって、前記バックローラとともに前記塗液貯留部の一部をなすバックプレートを複数備え、前記バックプレートのうちの一つが、前記基材の通過を許容する一定の隙間をもって、前記バックローラに対向配置されて前記塗液貯留部の一部をなしているときに、他の前記バックプレートが待機位置にある構成としてある。
【０００７】
このような構成とすることにより、基材に塗工する塗液の種類が変更された場合などに、塗液の入れ換えが必要になっても、待機させておいたバックプレートを利用して短時間のうちに塗工工程を再開させることができ、従来の同種の塗工装置に比べて塗液の入れ換えに要する時間を短縮して、塗液の入れ換えによる作業効率の低下を有効に回避することができる。
【０００８】
また、本発明に係る塗工装置は、前記バックプレートが、前記バックローラの軸方向に平行な同一直線上をスライドすることにより、前記バックローラに対向する位置と、前記待機位置との間を移動可能となるようにした構成とすることができる。
このような構成とすれば、バックプレートの入れ換えに伴って、バックプレートをバックローラに対向配置させる際の位置ずれが生じてしまうのを防止し、これらの相対的な位置決めを容易に行うことができる。
【０００９】
また、本発明に係る塗液の交換方法は、被塗工物である基材を、塗液貯留部の一部をなすバックローラの周面に保持しつつ、前記バックローラによって順次送りながら前記基材に塗液を付着させ、次いで、前記基材を介して前記バックローラに対向配置される塗工部材により、前記基材への前記塗液の塗工厚みを規制することによって、前記基材への塗工を行うにあたり、前記バックローラとともに前記塗液貯留部の一部をなす複数のバックプレートのうちの一つが、前記基材の通過を許容する一定の隙間をもって、前記バックローラに対向配置されて前記塗液貯留部の一部をなしているときに、他のバックプレートを待機位置で待機させておき、前記塗液を交換するに際して、前記塗液貯留部の一部をなしている前記バックプレートと、待機させておいた前記バックプレートとを入れ換える方法としてある。
【００１０】
このような方法とすることにより、塗液の入れ換えが必要になっても、塗液の入れ換えに要する時間を短縮して、塗液の入れ換えによる作業効率の低下を有効に回避することができる。
【発明の効果】
【００１１】
本発明によれば、基材に塗工する塗液の種類が変更された場合などに、塗液の入れ換えが必要になっても、短時間で塗液の入れ換えを行うことができ、塗液の入れ換えによる作業効率の低下を有効に回避することができる。
【発明を実施するための最良の形態】
【００１２】
以下、本発明の好ましい実施形態について、図面を参照しながら説明する。
なお、図１は、本発明に係る塗工装置の一実施形態の概略を示す説明図であり、図２は、図１のＡ−Ａ断面図である。
【００１３】
本実施形態の塗工装置１０は、被塗工物である基材フィルム１に塗液７を塗工するためのものであり、図示するように、バックローラ３、コンマコータ４、第一バックプレート５ａ、第二バックプレート５ｂ、サイドプレート６を備えて構成されている。
【００１４】
図示する塗工装置１０を用いて、基材フィルム１に塗液７を塗工するには、先ず、第一バックプレート５ａを、バックローラ３に対向配置する。このとき、第一バックプレート５ａの下端縁から塗液７が漏れ出したりすることがなく、かつ、基材フィルム１の通過が許容されるように、第一バックプレート５ａと、バックローラ３との間には、基材フィルム１の厚みに応じて一定の間隔で隙間を設けておくとともに、第一バックプレート５ａには、基材フィルム１上に塗工形成される塗工面２の塗工幅に応じて、一対のサイドプレート６を、所定の間隔で取り付けておくことにより、バックローラ３、コンマコータ４、第一バックプレート５ａ、サイドプレート６によって、塗液７を貯えておく塗液貯留部８が形成される。
【００１５】
次に、基材フィルム１を、バックローラ３の周面に保持させて、液貯留部８に貯えられた塗液７中を通過しながら順次送られるようにセットするとともに、基材フィルム１と、基材フィルム１を介してバックローラ３に対向配置されたコンマコータ４との間に、基材フィルム１への塗液７の塗工厚み応じた一定の隙間が形成されるように、塗工部材としてのコンマコータ４の位置決めを行う。
【００１６】
そして、塗液貯留部８に塗液７を注入した後に、バックローラ３を図２中矢印方向に回転させることにより、基材フィルム１を順次送りながら、塗液貯留部８に貯えられた塗液７を基材フィルム１の表面に付着させ、次いで、コンマコータ４により、基材フィルム１への塗液７の塗工厚みを規制する。
これによって、基材フィルム１には、所望の厚みで塗液７を塗工してなる塗工面２が形成される。
【００１７】
図示する塗工装置１０によれば、以上のようにして基材フィルム１に塗液７を塗工することができるが、塗液７を異なる種類のものに変更する場合などには、塗工工程を停止して、塗液７の入れ換えを行わなければならない。この際、塗液貯留部８を形成する各部材を離間させて、残留する塗液７を拭き取ったりするなどの洗浄作業が必要となり、塗液７の入れ換えを行うたびに、各部材の洗浄を行うとすると、塗液７の入れ換えを完了させて塗工工程を再開するまでに要する時間が長くなってしまい、作業効率を低下させてしまう。
【００１８】
このため、本実施形態にあっては、第二バックプレート５ｂを備え、以下のようにして塗液７の入れ換えを行うことにより、塗液７の入れ換えに要する時間の短縮化を図っている。
【００１９】
すなわち、本実施形態では、図１に示すように、第一バックプレート５ａが塗液貯留部の一部をなし、上記のようにして塗工工程が行われているときに、第二バックプレート５ｂを待機位置で待機させておく。そして、塗液７の入れ換えを行う際には、先ず、必要に応じて、図３に示すように、塗液貯留部８に残存する塗液７を、図示しない吸引ポンプなどにより吸引除去する。
【００２０】
次いで、図４に示すように、第一バックプレート５ａをバックローラ３や、コンマコータ４から離間させるとともに、バックローラ３の軸方向に平行な同一直線上をスライドさせることによって、予めサイドプレート６が取り付けられて待機していた第二バックプレート５ｂを、バックローラ３に対向する位置へと移動させる。そして、図５に示すように、第一バックプレート５ａと、第二バックプレート５ｂとを入れ換えて、基材フィルム１をセットし直すとともに、バックローラ３、コンマコータ４、第二バックプレート５ｂ、サイドプレート６によって形成された塗液貯留部８に、新たな塗液７を注入することにより、塗液７の入れ換えを完了する。
【００２１】
その後、図６に示すように、上記したのと同様にして、塗工工程を再開する一方で、第一バックプレート５ａから、サイドプレート６を取り外して、これらを洗浄するとともに、洗浄を終えた後には、再び第一バックプレートにサイドプレート６を取り付け、次に塗液７の交換が行われるまで、そのままの位置で待機させておく。
【００２２】
このようにすることで、第一バックプレート５ａや、第一バックプレート５ａに取り付けられているサイドプレート６の洗浄は、塗工工程が再開されてから行えばよく、コンマコータ４を洗浄するだけで短時間のうちに塗工工程を再開することができるため、塗液７を入れ換えるのに要する時間を短縮することができる。
したがって、本実施形態によれば、従来の同種の塗工装置に比べて短時間で塗液７の入れ換えを行うことができ、塗液７の入れ換えによる作業効率の低下を有効に回避することができる。
なお、次に塗液７の交換が行われる際には、第二バックプレート５ｂをバックローラ３から離間させるとともに、第一バックプレート５ａをバックローラ３に対向配置させる以外は、上記と同様にすればよく、その後は、これを繰り返すことになる。
【００２３】
ここで、図示する例では、塗液７を交換するに際して、第一バックプレート５ａを回動させてバックプレート３から離間させた後に、第一バックプレート５ａをバックローラ３の軸方向と平行にスライドさせており（図４参照）、また、第二バックプレート５ｂをバックローラ３の軸方向と平行にスライドさせた後に、第二バックプレート５ｂを回動させてバックローラ３に対向配置しているが（図５参照）、バックローラ３側が回動するようにして、第一バックプレート５ａと第二バックプレート５ｂは回動を伴うことなく、そのまま、バックローラ３の軸方向に平行な同一直線上をスライドするようにしてもよい。
【００２４】
また、第一バックプレート５ａや第二バックプレート５ｂを回動させるとともに、バックローラ３側も回動させるようにすることもでき、いずれの場合であっても、第一バックプレート５ａと第二バックプレート５ｂを入れ換える際に、これらをバックローラ３の軸方向に平行な同一直線上をスライドさせることによって、バックローラ３に対向する位置と、待機位置との間を移動可能となるようにすることで、第一バックプレート５ａや、第二バックプレート５ｂをバックローラ３に対向配置させる際の位置ずれを防止し、これらの相対的な位置決めを容易に行うことができる。
【００２５】
なお、第一バックプレート５ａや、第二バックプレート５ｂをスライド移動させるには、バックローラ３の軸方向と平行に敷設されたレール上を移動する図示しない可動テーブルに、第一バックプレート５ａと第二バックプレート５ｂを取り付けるようにすればよい。このとき、第一バックプレート５ａと第二バックプレート５ｂは、独立して移動する別々の可動テーブルに取り付けるようにしてもよく、一つの可動テーブルに取り付けるようにしてもよい。
【００２６】
以上、本発明について、好ましい実施形態を示して説明したが、本発明は、前述した実施形態にのみ限定されるものではなく、本発明の範囲で種々の変更実施が可能であることは言うまでもない。
【００２７】
例えば、前述した実施形態では、塗液貯留部８の一部を形成するバックプレートとして、第一バックプレート５ａと、第二バックプレート５ｂとを備えるが、バックプレートは二つに限らず、必要に応じて、三以上のバックプレートを備えるようにすることもできる。
【００２８】
また、前述した実施形態では、塗工装置１０としてコンマコータの例を示したが、本発明は、この種の塗工装置に広く適用することができ、例えば、リバースロールコータ、ダイコータ、リップコータ、バーコータ、キスコータなどにも適用することができる。
【産業上の利用可能性】
【００２９】
以上説明したように、本発明は、基材に塗工する塗液の種類が変更された場合などに、塗液の入れ換えが必要になっても、短時間で塗液の入れ換えを行うことができる塗工装置、及びそのような塗工装置における塗液の交換方法を提供する。
【図面の簡単な説明】
【００３０】
【図１】本発明に係る塗工装置の一実施形態の概略を示す説明図である。
【図２】図１のＡ−Ａ断面図である。
【図３】本発明に係る塗工装置の一実施形態において、塗液の交換工程を示す説明図である。
【図４】本発明に係る塗工装置の一実施形態において、塗液の交換工程を示す説明図である。
【図５】本発明に係る塗工装置の一実施形態において、塗液の交換工程を示す説明図である。
【図６】本発明に係る塗工装置の一実施形態において、塗液交換後に塗工工程を再開した状態を示す説明図である。
【符号の説明】
【００３１】
１          基材フィルム（基材）
３          バックローラ
４          コンマコータ（塗工部材）
５ａ        第一バックプレート
５ｂ        第二バックプレート
６          サイドプレート
７          塗液
８          塗液貯留部
１０        塗工装置
【図１】
2007090169.tif 000003
【図２】
2007090169.tif 000004
【図３】
2007090169.tif 000005
【図４】
2007090169.tif 000006
【図５】
2007090169.tif 000007
【図６】
2007090169.tif 000008